(57)【要約】【課題】シャッター眼鏡に動作不良が生じていることを容易に認識させることができる画像表示システムを提供する。【解決手段】画像表示システム１は、第１画像及び第２画像を交互に表示する表示装置３３と、第１画像に対応した第１対応情報、及び第２画像に対応した第２対応情報を表示する動作確認装置３４と、光を透過させる透過状態、または光を遮断する遮断状態に切り替わる光選択部を有するシャッター眼鏡と、表示装置３３、動作確認装置３４、及び光選択部を制御する制御装置３２とを備える。制御装置３２は、表示装置３３による第１画像及び第２画像の表示タイミングと光選択部の切替タイミングとを同期させるとともに、第１画像または第２画像を表示装置３３に表示させている際に、当該表示画像に対応した対応情報を動作確認装置３４に表示させる。【選択図】図３
2012141531.tif 000002
【特許請求の範囲】
【請求項１】
第１画像及び第２画像を交互に表示する表示装置と、
前記第１画像に対応した第１対応情報、及び前記第２画像に対応した第２対応情報の少なくともいずれかの対応情報を表示する動作確認装置と、
光を透過させる透過状態、または光を遮断する遮断状態に切り替わる光選択部を有するシャッター眼鏡と、
前記表示装置、前記動作確認装置、及び前記光選択部を制御する制御装置とを備え、
前記制御装置は、
前記表示装置による前記第１画像及び前記第２画像の表示タイミングと前記光選択部の切替タイミングとを同期させるとともに、前記第１画像または前記第２画像を前記表示装置に表示させている際に、当該表示画像に対応した前記対応情報を前記動作確認装置に表示させる
ことを特徴とする画像表示システム。
【請求項２】
請求項１に記載の画像表示システムにおいて、
前記表示装置及び前記動作確認装置は、一体化され、
前記動作確認装置は、
前記表示装置による画像の表示領域とは異なる部分に前記対応情報を表示する
ことを特徴とする画像表示システム。
【請求項３】
請求項１に記載の画像表示システムにおいて、
前記表示装置及び前記動作確認装置は、
共通部材で構成され、前記第１画像及び前記第２画像の少なくともいずれか一方に前記対応情報が重畳された画像を表示する
ことを特徴とする画像表示システム。
【請求項４】
請求項１から請求項３のいずれかに記載の画像表示システムにおいて、
前記対応情報の表示または非表示の選択を受け付ける選択装置を備え、
前記制御装置は、
前記対応情報の表示が選択された場合に前記対応情報を前記動作確認装置に表示させ、前記対応情報の非表示が選択された場合に前記対応情報を非表示とする
ことを特徴とする画像表示システム。
【請求項５】
請求項１から請求項４のいずれかに記載の画像表示システムにおいて、
前記対応情報は、
前記第１画像または前記第２画像に対応した文字を含む
ことを特徴とする画像表示システム。
【請求項６】
請求項１から請求項５のいずれかに記載の画像表示システムに用いられ、前記表示装置とは別体で構成されている
ことを特徴とする動作確認装置。
【発明の詳細な説明】
【技術分野】
【０００１】
本発明は、画像表示システム、及び動作確認装置に関する。
【背景技術】
【０００２】
従来、画像を表示する画像表示装置と、観察者に装着されるシャッター眼鏡とを備え、当該シャッター眼鏡を通して画像表示装置の表示画像を観察者に立体視させる画像表示システムが知られている（例えば、特許文献１参照）。
特許文献１に記載の画像表示システムでは、画像表示装置として、赤外発光ＬＥＤ（Light Emitting Diode）と、信号処理部と、プロジェクターと、スクリーンとを採用している。
そして、プロジェクターは、信号処理部から出力される信号に基づいて、スクリーン上に左目用画像及び右目用画像を時分割で交互に表示する。また、赤外発光ＬＥＤは、信号処理部から出力される信号に基づいて、左目用画像及び右目用画像の各表示タイミングに同期して赤外光を出射する。
一方、シャッター眼鏡は、赤外光受光素子にて上述した赤外光を受光することで、プロジェクターの表示タイミングに同期して、左目用透過部と右目用透過部とが交互に光を透過させる透過状態と遮断する遮断状態とに変化する。
このため、観察者は、シャッター眼鏡を通して、スクリーン上の左目用画像を左目のみで視認し、右目用画像を右目のみで視認し、視差によりスクリーン上の表示画像（左目用画像、右目用画像）を立体視する。
【先行技術文献】
【特許文献】
【０００３】
【特許文献１】特開２００６−１８６７６８号公報
【発明の概要】
【発明が解決しようとする課題】
【０００４】
ところで、シャッター眼鏡において、内部の電池が消耗したり、各透過部の駆動回路に不具合が生じたりして動作不良が生じた場合には、プロジェクターの表示タイミングに各透過部の切替タイミングが同期しなくなってしまう。
このように同期しなくなった場合には、観察者は、シャッター眼鏡を通して、例えば、左目により、左目用画像の他、視認されるはずのない右目用画像を視認したり、右目により、視認されるはずの右目用画像を視認できず、視認されるはずのない左目用画像を視認したりしてしまう。
そして、観察者は、上述した視認により動作不良に気付いた場合には、表示画像の観賞を中断する等の対処をとることができる。
しかしながら、動作不良に気付かない場合には、観察者に上述した視認を継続させることとなり、観察者に不快感を与えてしまう、という問題がある。
このため、観察者に動作不良が生じていることを容易に認識させることができる技術が要望されている。
【０００５】
本発明の目的は、シャッター眼鏡に動作不良が生じていることを容易に認識させることができる画像表示システム、及び動作確認装置を提供することにある。
【課題を解決するための手段】
【０００６】
本発明の画像表示システムは、第１画像及び第２画像を交互に表示する表示装置と、前記第１画像に対応した第１対応情報、及び前記第２画像に対応した第２対応情報の少なくともいずれかの対応情報を表示する動作確認装置と、光を透過させる透過状態、または光を遮断する遮断状態に切り替わる光選択部を有するシャッター眼鏡と、前記表示装置、前記動作確認装置、及び前記光選択部を制御する制御装置とを備え、前記制御装置は、前記表示装置による前記第１画像及び前記第２画像の表示タイミングと前記光選択部の切替タイミングとを同期させるとともに、前記第１画像または前記第２画像を前記表示装置に表示させている際に、当該表示画像に対応した前記対応情報を前記動作確認装置に表示させることを特徴とする。
【０００７】
ここで、本発明の画像表示システムは、第１画像及び第２画像をそれぞれ左目用画像及び右目用画像として表示画像を観察者に立体視させる構成としてもよく、あるいは、第１画像及び第２画像をコンテンツの異なる画像とし、２つの表示画像（第１画像及び第２画像）を異なる観察者にそれぞれ視認させる構成としても構わない。
以下では、説明の便宜上、画像表示システムを前者の構成として説明する。
【０００８】
本発明では、画像表示システムは、制御装置による制御の下、左目用画像または右目用画像が表示装置に表示されている際に、当該表示画像に対応した対応情報を表示する動作確認装置を備える。
このことにより、観察者は、シャッター眼鏡を通して動作確認装置による表示を確認すれば、シャッター眼鏡に動作不良が生じているか否かを認識できる。
具体的に、表示装置による表示タイミングと光選択部の切替タイミングとが同期しているため、表示装置により左目用画像が表示されている場合には、左目用選択部（光選択部）のみが透過状態に切り替わる。一方、表示装置により右目用画像が表示されている場合には、右目用選択部（光選択部）のみが透過状態に切り替わる。
【０００９】
ここで、動作確認装置は、左目用画像または右目用画像が表示されている際に、当該表示画像に対応した対応情報を表示する。
このため、シャッター眼鏡に動作不良が生じていない状態では、観察者は、シャッター眼鏡を通して動作確認装置による表示を確認した場合、左目にて左目用画像に対応した第１対応情報のみを視認する、あるいは、右目にて右目用画像に対応した第２対応情報のみを視認するはずである。
すなわち、観察者は、シャッター眼鏡を通して動作確認装置による表示を確認した際に、対応情報が上記と異なる形で視認された場合に、シャッター眼鏡に動作不良が生じていると認識できる。
特に、シャッター眼鏡を通した左目用画像及び右目用画像の視認ではなく、色や文字等の単純な情報である対応情報の視認で動作不良の有無を観察者に認識させるため、動作不良が生じていることを観察者に容易に認識させることができる。
【００１０】
本発明の画像表示システムでは、前記表示装置及び前記動作確認装置は、一体化され、前記動作確認装置は、前記表示装置による画像の表示領域とは異なる部分に前記対応情報を表示することが好ましい。
本発明によれば、動作確認装置が上述した部分に対応情報を表示するので、観察者にとって、対応情報の表示を見付け易い構成となる。このため、動作不良が生じていることを観察者にさらに容易に認識させることができる。
【００１１】
本発明の画像表示システムでは、前記表示装置及び前記動作確認装置は、共通部材で構成され、前記第１画像及び前記第２画像の少なくともいずれか一方に前記対応情報が重畳された画像を表示することが好ましい。
本発明によれば、表示装置及び動作確認装置は、共通の一部材で構成され、上述したように第１画像または第２画像と対応情報とを表示する。
このことにより、例えば、単純な信号処理により、表示装置単体で第１画像及び第２画像の少なくともいずれか一方に対応情報が重畳された画像を表示することができ、部材を省略して構造の簡素化が図れる。
【００１２】
本発明の画像表示システムでは、前記対応情報は、前記第１画像または前記第２画像に対応した文字を含むことが好ましい。
例えば、左目用画像（第１画像）に対応した第１対応情報としては「Ｌ」の文字、右目用画像（第２画像）に対応した第２対応情報としては「Ｒ」の文字が例示できる。
本発明では、対応情報が上述した文字を含んで構成されているので、シャッター眼鏡を通していずれかの目で視認された対応情報が視認されるはずの対応情報であるか否かを簡単に判別でき、動作不良が生じていることを観察者により一層容易に認識させることができる。
【００１３】
本発明の動作確認装置は、上述した画像表示システムに用いられ、前記表示装置とは別体で構成されていることを特徴とする。
本発明では、動作確認装置は、上述した画像表示システムに用いられるので、上述した画像表示システムと同様の作用及び効果を享受できる。
また、動作確認装置は、表示装置とは別体で構成されているので、汎用の画像表示システムに利用できる。すなわち、汎用の画像表示システムで用いられるディスプレイ装置やプロジェクター等の設計を変更することなく、別途、上述した動作確認装置を用いるだけで、上述した画像表示システムと同様の作用及び効果を享受できる。
【図面の簡単な説明】
【００１４】
【図１】第１実施形態における画像表示システムの使用形態を示す斜視図。
【図２】第１実施形態におけるシャッター眼鏡の構成を示すブロック図。
【図３】第１実施形態におけるディスプレイ装置の構成を示すブロック図。
【図４】第１実施形態における第２表示部の構成を模式的に示す図。
【図５】第１実施形態における画像表示システムの動作を説明するための図。
【図６】第１実施形態におけるシャッター眼鏡を通して観察者にて視認される対応情報を示す図。
【図７】第１実施形態におけるシャッター眼鏡を通して観察者にて視認される対応情報を示す図。
【図８】第２実施形態における画像表示システムの使用形態を示す斜視図。
【図９】第３実施形態における画像表示システムの使用形態を示す斜視図。
【図１０】第４実施形態における画像表示システムの使用形態を示す斜視図。
【図１１】第５実施形態における画像表示システムの使用形態を示す斜視図。
【図１２】第５実施形態における動作確認装置の構成を示すブロック図。
【発明を実施するための形態】
【００１５】
[第１実施形態]
以下、本発明の第１実施形態を図面に基づいて説明する。
〔画像表示システムの構成〕
図１は、画像表示システム１の使用形態を示す斜視図である。
画像表示システム１は、表示画像を観察者に立体視させるものであり、図１に示すように、シャッター眼鏡２と、画像表示装置としてのディスプレイ装置３とを備える。
【００１６】
〔シャッター眼鏡の構成〕
図２は、シャッター眼鏡２の構成を示すブロック図である。
シャッター眼鏡２は、観察者が装着するものであり、図１または図２に示すように、光選択部としての左目用選択部２１Ｌ及び右目用選択部２１Ｒと、受光部２２（図２）と、信号判別部２３（図２）と、左駆動部２４Ｌ（図２）及び右駆動部２４Ｒ（図２）とを備える。
各選択部２１Ｌ，２１Ｒは、観察者がシャッター眼鏡２を装着した際に観察者の左目及び右目にそれぞれ対応する位置に配設される。
そして、各選択部２１Ｌ，２１Ｒは、所謂液晶シャッターで構成され、ＯＮ信号の入力（電圧印加の状態）、ＯＦＦ信号の入力（電圧非印加の状態）で、光を遮断する遮断状態、光を透過させる透過状態にそれぞれ切り替わる。
【００１７】
受光部２２は、赤外光を受光する赤外受光素子等を備え、後述する発光部３５から出射された赤外光を受光し、当該受光に応じた信号を信号判別部２３に出力する。
信号判別部２３は、受光部２２からの信号を判別し、判別結果に応じて、各駆動部２４Ｌ，２４Ｒに信号を出力する。
各駆動部２４Ｌ，２４Ｒは、信号判別部２３からの信号に基づいて、各選択部２１Ｌ，２１ＲにＯＮ信号、ＯＦＦ信号を出力し、各選択部２１Ｌ，２１Ｒの透過状態及び遮断状態をそれぞれ切り替える。
【００１８】
〔ディスプレイ装置の構成〕
図３は、ディスプレイ装置３の構成を示すブロック図である。
ディスプレイ装置３は、画面Ｐ（図１）上に画像を表示する。
このディスプレイ装置３は、図３に示すように、入力インターフェース部３１と、制御装置としての信号処理部３２と、表示装置としての第１表示部３３と、動作確認装置としての第２表示部３４と、発光部３５と、選択装置としての表示切替部３６とを備える。
すなわち、本実施形態のディスプレイ装置３は、第１表示部３３と第２表示部３４とが一体化した構成である。
【００１９】
信号処理部３２は、入力インターフェース部３１を介して外部から入力した入力信号（図５（Ａ）、図５（Ｂ））を所定の信号に変換して第１表示部３３に出力する。
また、信号処理部３２は、第１表示部３３に第１画像としての左目用画像を表示させている際に、左目用選択部２１Ｌのみを透過状態に切り替える左切替信号を発光部３５に出力する（第１表示部３３による左目用画像の表示タイミングと左目用選択部２１Ｌの切替タイミングとを同期させる）。また、信号処理部３２は、上記の際に、第２表示部３４の後述する左表示部３４Ｌのみを動作させる左制御信号を第２表示部３４に出力する。
【００２０】
さらに、信号処理部３２は、第１表示部３３に第２画像としての右目用画像を表示させている際に、右目用選択部２１Ｒのみを透過状態に切り替える右切替信号を発光部３５に出力する（第１表示部３３による右目用画像の表示タイミングと右目用選択部２１Ｒの切替タイミングとを同期させる）。また、信号処理部３２は、上記の際に、第２表示部３４の後述する右表示部３４Ｒのみを動作させる右制御信号を第２表示部３４に出力する。
第１表示部３３は、液晶ディスプレイ、プラズマテレビ、有機ＥＬ（Electro Luminescence）ディスプレイ等で構成され、信号処理部３２から出力される信号に基づいて、左目用画像及び右目用画像を時分割で交互に表示する。
【００２１】
表示切替部３６は、具体的な図示は省略したが、ディスプレイ装置３における外装筐体３Ａ（図１）に設けられた操作ボタンや、リモートコントローラー等に設けられたボタンで構成され、第２表示部３４による対応情報の表示または非表示の選択を受け付ける。
そして、表示切替部３６は、利用者によるボタンの押下に応じた操作信号を信号処理部３２に出力する。
信号処理部３２は、利用者による表示切替部３６の操作により、「対応情報の表示」が選択されている場合には、上述した左制御信号や右制御信号の出力を行い、第２表示部３４に対応情報を表示させる。
一方、信号処理部３２は、利用者による表示切替部３６の操作により、「対応情報の非表示」が選択されている場合には、上述した左制御信号や右制御信号の出力を行わない。すなわち、第２表示部３４に対応情報を表示させない（対応情報を非表示とする）。
【００２２】
図４は、第２表示部３４の構成を模式的に示す図である。
第２表示部３４は、信号処理部３２から出力される各制御信号に応じて、左目用画像に対応した第１対応情報、及び右目用画像に対応した第２対応情報を表示する。
具体的に、第２表示部３４は、図１または図３に示すように、左表示部３４Ｌと、右表示部３４Ｒとを備える。
左表示部３４Ｌは、図１に示すように、ディスプレイ装置３における外装筐体３Ａの正面から見て左下角隅部分（画面Ｐ（左目用画像、右目用画像の表示領域）とは異なる部分）に配設され、信号処理部３２からの左制御信号に応じて第１対応情報を表示する。
【００２３】
この左表示部３４Ｌは、図４（Ａ）に示すように、ＬＥＤ３４１と、ＬＥＤ３４１を発光させる駆動回路（図示略）と、ＬＥＤ３４１の前面側（観察者側）に配設される拡散板３４２とを備える。
そして、拡散板３４２の前面側の端面には、図４（Ａ）に示すように、左目用画像に対応した文字「Ｌ」の形状のスリット３４２Ｂを有するフィルム３４２Ａが貼り付けられている。
すなわち、左表示部３４Ｌは、ＬＥＤ３４１が点灯することで、拡散板３４２及びスリット３４２Ｂを介して前面側に向けて光が進行し、「Ｌ」の文字（第１対応情報）を表示することとなる。
【００２４】
右表示部３４Ｒは、図１に示すように、外装筐体３Ａの正面から見て右下角隅部分（画面Ｐとは異なる部分）に配設され、信号処理部３２からの右制御信号に応じて第２対応情報を表示する。
この右表示部３４Ｒは、図４（Ｂ）に示すように、左表示部３４ＬのＬＥＤ３４１、駆動回路、及び拡散板３４２と同様のＬＥＤ３４３、駆動回路（図示略）、及び拡散板３４４を備える。
なお、右表示部３４Ｒでは、左表示部３４Ｌとは異なり、拡散板３４４に貼り付けられたフィルム３４４Ａには、図４（Ｂ）に示すように、右目用画像に対応した文字「Ｒ」の形状のスリット３４４Ｂを有する。
すなわち、右表示部３４Ｒは、ＬＥＤ３４３が点灯することで、「Ｒ」の文字（第２対応情報）を表示することとなる。
【００２５】
発光部３５は、図１に示すように、外装筐体３Ａの正面から見て下方の略中央部分に配設されている。
そして、発光部３５は、具体的な図示は省略したが、赤外発光ＬＥＤ、及び当該赤外発光ＬＥＤを発光させる駆動回路等を備え、信号処理部３２からの各切替信号に応じて、赤外光を出射する。
【００２６】
〔画像表示システムの動作〕
図５は、画像表示システム１の動作を説明するための図である。具体的に、図５（Ａ）及び図５（Ｂ）は、入力インターフェース部３１を介して外部から入力した入力信号に含まれる垂直同期信号及び映像信号をそれぞれ示している。図５（Ｃ）及び図５（Ｄ）は、信号処理部３２にて変換された垂直同期信号及び映像信号をそれぞれ示している。図５（Ｅ）及び図５（Ｆ）は、各表示部３４Ｌ，３４Ｒの点灯状態をそれぞれ示している。図５（Ｇ）は、信号処理部３２から出力される各切替信号ＳＬ，ＳＲを示している。図５（Ｈ）及び図５（Ｉ）は、各選択部２１Ｌ，２１Ｒにおける透過状態ＯＰまたは遮断状態ＣＬをそれぞれ示している。
【００２７】
次に、上述した画像表示システム１の動作について、図５を参照して説明する。
なお、以下では、説明の便宜上、画像表示システム１の動作として、ディスプレイ装置３の動作、及びシャッター眼鏡２の動作を順に説明する。
また、以下では、利用者による表示切替部３６の操作により、「対応情報の表示」が選択されているものとする。
【００２８】
〔ディスプレイ装置の動作〕
本実施形態では、外部から入力される入力信号は、周波数６０Ｈｚの垂直同期信号（図５（Ａ））と、垂直走査期間Ｔ（１／６０（秒））毎に１フレーム分の左目用映像信号及び右目用映像信号が含まれる左右映像信号（図５（Ｂ））とで構成されている。
信号処理部３２は、入力インターフェース部３１を介して入力した入力信号について、図５（Ｃ）に示すように、垂直同期信号を２倍の周波数１２０Ｈｚの垂直同期信号に変換する。また、信号処理部３２は、図５（Ｄ）に示すように、変換した垂直同期信号の交互に繰り返される垂直走査期間ＴＬ，ＴＲ（１／１２０（秒））のうち、垂直走査期間ＴＬで左右映像信号に含まれる左目用映像信号を出力し、垂直走査期間ＴＲで左右映像信号に含まれる右目用映像信号を出力する。
そして、第１表示部３３は、信号処理部３２から出力される信号に基づいて、垂直走査期間ＴＬで画面Ｐ上に左目用映像信号に基づく左目用画像を表示し、垂直走査期間ＴＲで画面Ｐ上に右目用映像信号に基づく右目用画像を表示する。
【００２９】
また、信号処理部３２は、左目用映像信号の出力期間ＴＬ１（図５）中に左制御信号を第２表示部３４に出力し、右目用映像信号の出力期間ＴＲ１（図５）中に右制御信号を第２表示部３４に出力する。
そして、左表示部３４Ｌは、図５（Ｅ）に示すように、出力期間ＴＬ１（画面Ｐ上に左目用画像が表示されている期間）にのみＬＥＤ３４１を点灯させ、「Ｌ」の文字（第１対応情報）を表示する。
また、右表示部３４Ｒは、図５（Ｆ）に示すように、出力期間ＴＲ１（画面Ｐ上に右目用画像が表示されている期間）にのみＬＥＤ３４３を点灯させ、「Ｒ」の文字（第２対応情報）を表示する。
【００３０】
さらに、信号処理部３２は、図５（Ｇ）に示すように、垂直走査期間ＴＬの開始時点に合わせて左切替信号ＳＬを発光部３５に出力し、垂直走査期間ＴＲの開始時点に合わせて右切替信号ＳＲを発光部３５に出力する。
そして、発光部３５は、各切替信号ＳＬ，ＳＲに応じて発光する。
なお、本実施形態では、各切替信号ＳＬ，ＳＲは、図５（Ｇ）に示すように、信号幅（パルス幅）が異なるものである（左切替信号ＳＬの信号幅は右切替信号ＳＲの信号幅よりも小さい）。すなわち、発光部３５は、垂直走査期間ＴＬの開始時点から所定期間ＥＬ（図５）、発光し、垂直走査期間ＴＲの開始時点から所定期間ＥＬよりも長い期間ＥＲ（図５）、発光することとなる。
【００３１】
〔シャッター眼鏡の動作〕
受光部２２は、発光部３５からの赤外光を受光する。
上述したように、発光部３５の発光時間は、各切替信号ＳＬ，ＳＲに応じて異なるものとなっている。このため、受光部２２から出力される信号も、発光部３５の発光時間に対応して（各切替信号ＳＬ，ＳＲの信号幅に対応して）、信号幅が異なるものとなる。
そして、信号判別部２３は、受光部２２からの信号の信号幅を認識することで、信号処理部３２から左切替信号ＳＬが出力されたか、あるいは、右切替信号ＳＲが出力されたかを判別する。また、信号判別部２３は、判別終了時点（各切替信号ＳＬ，ＳＲの出力完了時点ＰＬ，ＰＲ（図５）で判別結果に応じた信号を各駆動部２４Ｌ，２４Ｒに出力する。
【００３２】
信号判別部２３にて信号処理部３２から左切替信号ＳＬが出力されたと判別された場合には、各駆動部２４Ｌ，２４Ｒは、以下に示すように、各選択部２１Ｌ，２１Ｒを動作させる。
すなわち、左駆動部２４Ｌは、図５（Ｈ）に示すように、出力完了時点ＰＬで左目用選択部２１ＬにＯＦＦ信号を出力して透過状態ＯＰへの切替を開始させ、左目用選択部２１Ｌを透過状態ＯＰに切り替える。
一方、右駆動部２４Ｒは、図５（Ｉ）に示すように、出力完了時点ＰＬで右目用選択部２１ＲにＯＮ信号を出力して遮断状態ＣＬへの切替を開始させ、右目用選択部２１Ｒを遮断状態ＣＬに切り替える。
【００３３】
また、信号判別部２３にて信号処理部３２から右切替信号ＳＲが出力されたと判別された場合には、各駆動部２４Ｌ，２４Ｒは、以下に示すように、各選択部２１Ｌ，２１Ｒを動作させる。
すなわち、左駆動部２４Ｌは、図５（Ｈ）に示すように、出力完了時点ＰＲで左目用選択部２１ＬにＯＮ信号を出力して遮断状態ＣＬへの切替を開始させ、左目用選択部２１Ｌを遮断状態ＣＬに切り替える。
一方、右駆動部２４Ｒは、図５（Ｉ）に示すように、出力完了時点ＰＲで右目用選択部２１ＲにＯＦＦ信号を出力して透過状態ＯＰへの切替を開始させ、右目用選択部２１Ｒを透過状態ＯＰに切り替える。
【００３４】
以上の動作により、垂直走査期間ＴＬでは、画面Ｐ上に左目用画像が表示され、左目用選択部２１Ｌのみが透過状態ＯＰとなっている。このため、画面Ｐ上の左目用画像は、シャッター眼鏡２を通して観察者の左目のみで視認されることとなる。
また、垂直走査期間ＴＲでは、画面Ｐ上に右目用画像が表示され、右目用選択部２１Ｒのみが透過状態ＯＰとなっている。このため、画面Ｐ上の右目用画像は、シャッター眼鏡２を通して観察者の右目のみで視認されることとなる。
したがって、観察者は、画面Ｐ上の表示画像（左目用画像及び右目用画像）を視差により立体視することとなる。
【００３５】
図６及び図７は、シャッター眼鏡２を通して観察者にて視認される対応情報ＩＬ，ＩＲを示す図である。具体的に、図６はシャッター眼鏡２が正常に動作している場合で観察者にて視認される対応情報ＩＬ，ＩＲを示し、図７はシャッター眼鏡２に動作不良が生じている場合で観察者にて視認される対応情報ＩＬ，ＩＲを示している。
なお、図６及び図７では、説明の便宜上、左表示部３４Ｌにて表示される第１対応情報ＩＬに「Ｌ」の文字を付し、右表示部３４Ｒにて表示される第２対応情報ＩＲに「Ｒ」の文字を付している。
観察者は、シャッター眼鏡２を通して、以下に示すように、各表示部３４Ｌ，３４Ｒに表示されている対応情報ＩＬ，ＩＲを視認することとなる。
すなわち、上述した動作により、垂直走査期間ＴＬでは、左表示部３４Ｌのみが第１対応情報ＩＬを表示し、左目用選択部２１Ｌのみが透過状態ＯＰとなっている。
同様に、垂直走査期間ＴＲでは、右表示部３４Ｒのみが第２対応情報ＩＲを表示し、右目用選択部２１Ｒのみが透過状態ＯＰとなっている。
したがって、シャッター眼鏡２が正常に動作している場合には、観察者は、図６に示すように、シャッター眼鏡２を通して、左目のみで第１対応情報ＩＬを視認し、右目のみで第２対応情報ＩＲを視認することとなる。
【００３６】
一方、シャッター眼鏡２に動作不良が生じている場合には、各選択部２１Ｌ，２１Ｒの透過状態ＯＰまたは遮断状態ＣＬの切替は、信号処理部３２からの左切替信号ＳＬまたは右切替信号ＳＲに同期しなくなる。
このため、観察者は、例えば、図７に示すように、シャッター眼鏡２を通して、左目により、第１対応情報ＩＬの他、視認されるはずのない第２対応情報ＩＲを視認したり、右目により、視認されるはずの第２対応情報ＩＲを視認できず、視認されるはずのない第１対応情報ＩＬを視認したりしてしまう。
したがって、観察者は、上述した各対応情報ＩＬ，ＩＲの視認状態を確認することで、シャッター眼鏡２に動作不良（シャッター眼鏡２内部の電池の消耗や、各駆動部２４Ｌ，２４Ｒの不具合等）が生じていることを認識する。
【００３７】
上述した第１実施形態によれば、以下の効果がある。
本実施形態では、画像表示システム１は、信号処理部３２による制御の下、左目用画像または右目用画像が画面Ｐ上に表示されている際に、当該表示画像に対応した対応情報ＩＬ，ＩＲを表示する第２表示部３４を備える。
このことにより、観察者は、シャッター眼鏡２を通して第２表示部３４による表示を確認すれば、シャッター眼鏡２に動作不良が生じているか否かを認識できる。
【００３８】
特に、シャッター眼鏡２を通した左目用画像及び右目用画像の視認ではなく、単純な情報である対応情報ＩＬ，ＩＲの視認で動作不良の有無を観察者に認識させるため、動作不良が生じていることを観察者に容易に認識させることができる。
また、左目用画像に対応した第１対応情報ＩＬとして「Ｌ」の文字、右目用画像に対応した第２対応情報ＩＲとして「Ｒ」の文字が採用されているので、シャッター眼鏡２を通していずれかの目で視認された対応情報ＩＬ，ＩＲが視認されるはずの対応情報であるか否かを簡単に判別でき、動作不良が生じていることを観察者により一層容易に認識させることができる。
【００３９】
さらに、第１対応情報ＩＬを表示する左表示部３４Ｌが左側に配設され、第２対応情報ＩＲを表示する右表示部３４Ｒが右側に配設され、各表示部３４Ｌ，３４Ｒが離間した位置に配設されている。
このことにより、左目用選択部２１Ｌまたは右目用選択部２１Ｒ上で観察者が視認する対応情報ＩＬ，ＩＲの位置も異なるものとなり、シャッター眼鏡２を通していずれかの目で視認された対応情報ＩＬ，ＩＲが視認されるはずの対応情報であるか否かをより簡単に判別できる。
また、第２表示部３４は、各対応情報ＩＬ，ＩＲの双方を表示するので、例えば、各対応情報ＩＬ，ＩＲの一方のみを表示する構成と比較して、シャッター眼鏡２に動作不良が生じているか否かを観察者に容易に認識させることができる。
【００４０】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図８は、第２実施形態における画像表示システム１の使用形態を示す図である。
なお、図８では、説明の便宜上、対応情報ＩＬ，ＩＲの双方を図示している。
前記第１実施形態では、画面Ｐとは異なる部分に各表示部３４Ｌ，３４Ｒが設けられ、当該部分で各対応情報ＩＬ，ＩＲを表示していた。
これに対して第２実施形態では、前記第１実施形態に対して、図８に示すように、各表示部３４Ｌ，３４Ｒが省略され、画面Ｐ上において、左目用画像に第１対応情報ＩＬが重畳した画像、及び右目用画像に第２対応情報ＩＲが重畳した画像をそれぞれ第１表示部３３が表示する点が異なるのみである。その他の構成は、前記第１実施形態と同様のものである。
【００４１】
すなわち、第１表示部３３が本発明に係る表示装置及び動作確認装置に相当する。
また、第２実施形態の信号処理部３２は、信号処理によって、垂直走査期間ＴＬで左目用画像に第１対応情報ＩＬが重畳した画像に基づく左目用映像信号を第１表示部３３に出力する。また、信号処理部３２は、垂直走査期間ＴＲで右目用画像に第２対応情報ＩＲが重畳した画像に基づく右目用映像信号を第１表示部３３に出力する。
【００４２】
上述した第２実施形態によれば、前記第１実施形態と同様の効果の他、以下の効果がある。
本実施形態によれば、信号処理部３２による単純な信号処理により、第１表示部３３単体で左目用画像及び右目用画像にそれぞれ対応情報ＩＬ，ＩＲが重畳された画像を表示することができ、第２表示部３４を省略して構造の簡素化が図れる。
【００４３】
[第３実施形態]
次に、本発明の第３実施形態を図面に基づいて説明する。
以下の説明では、前記第１実施形態と同様の構成及び同一部材には同一の符号を付して、その詳細な説明は省略または簡略化する。
図９は、第３実施形態における画像表示システム１の使用形態を示す図である。
前記第１実施形態では、画像表示装置として、画面Ｐ上に表示画像（左目用画像、右目用画像）を表示するディスプレイ装置３を採用していた。
これに対して第３実施形態では、図９に示すように、画像表示装置として、プロジェクター４を採用している点が異なるのみである。
【００４４】
プロジェクター４は、具体的な図示は省略したが、前記第１実施形態で説明したディスプレイ装置３と同様の構成３１〜３６を備える。
なお、第３実施形態の第１表示部３３は、光源からの光束を変調して画像を形成する液晶パネル等の光変調装置と、投射レンズ４１（図９）とを備える。
そして、プロジェクター４は、信号処理部３２から出力される信号に基づいて前記光変調装置にて形成された画像を投射レンズ４１にてスクリーンＳｃ（図９）に向けて投射し、スクリーンＳｃ上に投影画像（左目用画像、右目用画像）を表示する。
また、本実施形態では、左表示部３４Ｌ及び右表示部３４Ｒは、図９に示すように、プロジェクター４における外装筐体４Ａの背面側（投射レンズ４１が配設される側とは反対側）の端面の左右両側にそれぞれ配設されている。
さらに、本実施形態では、発光部３５は、図９に示すように、外装筐体４Ａの背面側の端面の略中央部分に配設されている。
【００４５】
上述した第３実施形態のように画像表示装置としてプロジェクター４を採用した場合であっても、前記第１実施形態と同様の作用及び効果を享受できる。
【００４６】
[第４実施形態]
次に、本発明の第４実施形態を図面に基づいて説明する。
以下の説明では、前記第３実施形態と同様の構成及び同一部材には同一の符号を付して、その詳細な説明は省略または簡略化する。
図１０は、第４実施形態における画像表示システム１の使用形態を示す図である。
なお、図１０では、説明の便宜上、対応情報ＩＬ，ＩＲの双方を図示している。
前記第３実施形態では、プロジェクター４における外装筐体４Ａの背面側の端面（左目用画像、右目用画像の表示領域（スクリーンＳｃ）とは異なる部分）で各対応情報ＩＬ，ＩＲを表示していた。
これに対して第４実施形態では、前記第３実施形態に対して、図１０に示すように、プロジェクター４から各表示部３４Ｌ，３４Ｒが省略され、前記第２実施形態と同様に、スクリーンＳｃ上において、左目用画像に第１対応情報ＩＬが重畳した画像、及び右目用画像に第２対応情報ＩＲが重畳した画像をそれぞれ表示する点が異なるのみである。その他の構成は、前記第３実施形態と同様のものである。
【００４７】
上述した第４実施形態によれば、前記第２実施形態及び前記第３実施形態と同様の作用及び効果を享受できる。
【００４８】
[第５実施形態]
次に、本発明の第５実施形態を図面に基づいて説明する。
以下の説明では、前記第１実施形態と同様の構成及び同一部材には同一の符号を付して、その詳細な説明は省略または簡略化する。
図１１は、第５実施形態における画像表示システム１の使用形態を示す図である。
前記第１実施形態では、ディスプレイ装置３に第２表示部３４が組み込まれていた。
これに対して第５実施形態では、前記第１実施形態に対して、図１１に示すように、ディスプレイ装置３から第２表示部３４が省略され、ディスプレイ装置３とは別に、第２表示部３４を有する動作確認装置５が設けられている点が異なるのみである。その他の構成は、前記第１実施形態と同様である。
【００４９】
図１２は、動作確認装置５の構成を示すブロック図である。
動作確認装置５は、図１２に示すように、第２表示部３４の他、シャッター眼鏡２における受光部２２及び信号判別部２３と同様の受光部５１及び信号判別部５２を備える。
受光部５１は、図１２に示すように、動作確認装置５における外装筐体５Ａの前面側（ディスプレイ装置３に対向する側）の端面に配設されている。
また、第５実施形態における各表示部３４Ｌ，３４Ｒは、外装筐体５Ａの背面側の端面の左右両側にそれぞれ配設されている。
そして、上記構成により、動作確認装置５は、発光部３５からの赤外光を受光部５１が受光することで、以下に示すように動作する。
信号判別部５２にて信号処理部３２から左切替信号ＳＬが出力されたと判別された場合には、左表示部３４Ｌが第１対応情報ＩＬを表示する。
一方、信号判別部５２にて信号処理部３２から右切替信号ＳＲが出力されたと判別された場合には、右表示部３４Ｒが第２対応情報ＩＲを表示する。
すなわち、前記第１実施形態と同様に、垂直走査期間ＴＬでは左表示部３４Ｌのみが第１対応情報ＩＬを表示し、垂直走査期間ＴＲでは右表示部３４Ｒのみが第２対応情報ＩＲを表示することとなる。
【００５０】
上述した第５実施形態によれば、前記第１実施形態と同様の効果の他、以下の効果がある。
本実施形態では、動作確認装置５は、ディスプレイ装置３とは別体で構成されているので、汎用の画像表示システム１に利用できる。すなわち、汎用の画像表示システム１で用いられるディスプレイ装置３の設計変更をすることなく、別途、動作確認装置５を用いるだけで、前記第１実施形態と同様の作用及び効果を享受できる。
【００５１】
なお、本発明は前述の実施形態に限定されるものではなく、本発明の目的を達成できる範囲での変形、改良等は本発明に含まれるものである。
前記各実施形態では、画像表示システム１は、第１画像及び第２画像をそれぞれ左目用画像及び右目用画像として表示画像を観察者に立体視させる構成としていたが、これに限らない。例えば、画像表示システムとして、第１画像及び第２画像をコンテンツの異なる画像とし、２つの表示画像（第１画像及び第２画像）を異なる観察者にそれぞれ視認させる構成を採用しても構わない。
このように構成した場合には、シャッター眼鏡２としては、左目用選択部２１Ｌのみ（左目用選択部２１Ｌの数は単体でも複数でも可）を有するシャッター眼鏡、及び右目用選択部２１Ｒのみ（右目用選択部２１Ｒの数は単体でも複数でも可）を有するシャッター眼鏡の２種類を設ければよい。
【００５２】
前記各実施形態では、各選択部２１Ｌ，２１Ｒは、液晶シャッターで構成されていたが、これに限らない。光選択部としては、透過状態ＯＰまたは遮断状態ＣＬに切り替わる構成であれば、例えば機械的に透過状態または遮断状態に切り替わる構成等、その他の構成を採用しても構わない。
前記各実施形態では、受光部２２（受光部５１）及び発光部３５は、赤外線信号の送受信を行っていたが、信号の種類は赤外線信号に限らず、その他の種類の信号を送受信する構成としても構わない。
例えば、受光部２２（受光部５１）及び発光部３５における信号の送受信として、電波、超音波、あるいは、変調した可視光を送受信する構成を採用できる。
前記各実施形態では、画像表示システム１は、表示切替部３６を備えていたが、当該表示切替部３６を省略し、例えば、所定の時間（画像表示システム１の起動後の所定の時間）だけ自動的に対応情報ＩＬ，ＩＲを表示する構成としても構わない。
【００５３】
前記各実施形態では、画像表示システム１は、２つの対応情報ＩＬ，ＩＲを表示していたが、これに限らず、いずれか一方の対応情報のみを表示する構成としても構わない。
また、左表示部３４Ｌ及び右表示部３４Ｒが離間した位置に配設されていたが、これに限らず、近接した位置に配設しても構わない。
さらに、対応情報ＩＬ，ＩＲとして、「Ｌ」や「Ｒ」の文字を採用していたが、これに限らず、その他の文字（例えば、第１画像に対応した「１」の数字、第２画像に対応した「２」の数字）を採用してもよく、あるいは、第１対応情報及び第２対応情報として異なる色（ＬＥＤ３４１，３４３の発光する各色を変更）を採用しても構わない。
【産業上の利用可能性】
【００５４】
本発明は、プロジェクター等の画像表示装置やシャッター眼鏡を用いて画像を立体視させる画像表示システムに利用できる。
【符号の説明】
【００５５】
１・・・画像表示システム、２・・・シャッター眼鏡、３・・・ディスプレイ装置（画像表示装置）、４・・・プロジェクター（画像表示装置）、５・・・動作確認装置、２１Ｌ・・・左目用選択部（光選択部）、２１Ｒ・・・右目用選択部（光選択部）、３２・・・信号処理部（制御装置）、３３・・・第１表示部（表示装置、動作確認装置）、３４・・・第２表示部（動作確認装置）、３６・・・表示切替部（選択装置）、ＩＬ・・・第１対応情報、ＩＲ・・・第２対応情報、ＯＰ・・・透過状態、ＣＬ・・・遮断状態。
【図１】
2012141531.tif 000003
【図２】
2012141531.tif 000004
【図３】
2012141531.tif 000005
【図４】
2012141531.tif 000006
【図５】
2012141531.tif 000007
【図６】
2012141531.tif 000008
【図７】
2012141531.tif 000009
【図８】
2012141531.tif 000010
【図９】
2012141531.tif 000011
【図１０】
2012141531.tif 000012
【図１１】
2012141531.tif 000013
【図１２】
2012141531.tif 000014